(57)【要約】【課題】料理や食事によく使う袋入り製品の中身をきれいに出すのにわずらわしいものがあった。また、料理のレシピで使用する数種の大サジ中サジ小サジの計量スプーンを使用するのにレシピごとに選んで使用するのと、また、数種の計量スプーンはリングでまとめているため、一つ使用しても三本全部洗わなければならないのにわずらわしいものがあった。また、目盛付計量スプーンは注意深く目盛線に合わすのにわずらわしかった。  本発明は、これらの問題を一本のスプーンで解決することを課題とする。【解決手段】スプーンの柄部に袋入り製品の袋の皮ほどのすき間（Ａ）を創り、柄部の先の差込口（Ｂ）をＶ形に創作したスプーン。このスプーンに計量部、大サジ（Ｃ１）中サジ（Ｃ２）小サジ（Ｃ３）を創ることによって、これらの問題を解決する。【選択図】図４
2008093381.tif 000002
【特許請求の範囲】
【請求項１】
スプーンの柄部に袋入り製品の袋の皮ほどのすき間（Ａ）を創作し、柄部の先の差し込み口をＶ形（Ｂ）にした特長をもつスプーン。
【発明の詳細な説明】
【技術分野】
【０００１】  本発明はスプーンに関するものであり、スプーンの柄部の形状に工夫を加える事により袋入り製品（インスタントカレー、シチュウ、練り製品など）の中身を簡単きれいに１回で押し出すことができるようにしたスプーンである。
【背景技術】
【０００２】  従来、スプーンには料理用スプーン、飲食用スプーン、軽量スプーン、介護用スプーンなどがあって頻繁に利用されている。
【発明の開示】
【発明が解決しようとする課題】
【０００３】  しかし、料理中や食事中によく利用する袋入り製品の中身を押し出すことのできるスプーンはなく、指やおはしなどを使用して袋入り製品の中身を押し出していたが、中身を出すのに数回繰り返して押し出すのと、きれいに出すのにわずらわしいものがあった。
【課題を解決すための手段】
【０００４】  この課題を解決するために試作品を何度も創り実験を繰り返した結果、スプーンの柄部に袋入り製品の皮ほどの厚さのすき間を創り（Ａ）、その柄部の先の差し込み口（Ｂ）をＶ形に創作した。柄部の先をＶ形に創作したことによって袋入り製品に簡単に差し込むことができ、差し込んだスプーンを押し上げることにより、中身を１回できれいに押し出すことに成功した。
【発明の効果】
【０００５】  本発明はこのような構造だから、袋入り製品に簡単に差し込んで、その中身をワンタッチできれいに押し出すことができる効果がある（図２）。
また、袋入り製品の開封口を折り曲げて本スプーンを差し込めば袋とじとしても利用できる効果がある（図３）。
以上の効果によって料理や食事を楽しくする効果ができた。
【発明を実施するための最良の形態】
【０００６】  以下、本発明の実施例にについて説明する。
スプーンの柄部に袋入り製品の袋の皮ほどのすき間を創作し、柄部の先をＶ形に創作したスプーン（図１）。【０００７】  本発明は、以上の構造でこれを使用するときは、袋入り製品にスプーンの柄部の先から簡単に差し込むことができ、差し込んだスプーンを押し上げることによって１回できれいに中身を押し出すことができる。【０００８】  なお、本発明の柄部をホークにも同じように創作してもよい。【０００９】  また、材質はプラスチック類や金属類何でもよい。それから、柄部の先の差し込み口（Ｂ）は差し込みやすいＶ形だが柄部の先の形はハート形、丸形、四角型何でもよい。
【産業上の利用可能性】
【００１０】  本発明に係るスプーンは、工業的に量産する事が可能であるため、産業上の利用可能性を有する。
【図面の簡単な説明】
【００１１】
【図１】  本発明の平面図である。
【図２】  本発明使用中の斜視図である。
【図３】  本発明使用中の斜視図である。
【符号の説明】
【００１２】  （Ａ）すき間
（Ｂ）差し込み口
（Ｃ）スプーン
（Ｄ）袋入り製品
【図１】
2008093381.tif 000003
【図２】
2008093381.tif 000004
【図３】
2008093381.tif 000005
【手続補正書】
【提出日】平成19年1月9日(2007.1.9)
【手続補正１】
【補正対象書類名】特許請求の範囲
【補正対象項目名】請求項２
【補正方法】追加
【補正の内容】
【請求項２】
請求項１のスプーンに大・中・小の独立したスプーンを設けた計量スプーン。（図４）
【手続補正３】
【補正対象書類名】明細書
【補正対象項目名】０００１
【補正方法】追加
【補正の内容】
【０００１】  本発明はスプーンに関するものであり、スプーンの柄部の形状に工夫を加えることにより袋入り製品（インスタントカレー、シチュウ、練り製品など）の中身を簡単きれいに１回で押し出すことができるようにしたスプーンと、さらに本スプーンに大サジ中サジ小サジの三つの独立した計量機能と効能をもたせた計量スプーンである。
【手続補正４】
【補正対象書類名】明細書
【補正対象項目名】０００３
【補正方法】変更
【補正の内容】
【０００３】そこで、今までにない改良されたスプーンの開発を研究した。
▲１▼料理中や食事中によく使用する袋入り製品の中身をワンタッチできれいに押し出すことのできる料理用スプーンがあれば便利。
▲２▼料理のレシピに利用する大サジ中サジ小サジの三つの計量スプーンを料理のレシピごとに使い分けるのにわずらわしいものがあった。
▲３▼目盛線付の計量スプーンは目盛線に集中しながら使用するのにわずらわしいものがあった。
以上の問題▲１▼〜▲３▼を解決することのできる一本のスプーンを発明することを研究課題とする。
【手続補正５】
【補正対象書類名】明細書
【補正対象項目名】０００４
【補正方法】追加
【補正の内容】
【０００４】  この課題を解決するために試作品を何度も作り実験を繰り返した結果、スプーンの柄部に袋入り製品の皮ほどの厚さのすき間（Ａ）を創り、その柄部の先の差し込み口（Ｂ）をＶ形に創作したことによって袋入り製品に簡単に差し込むことができ、差し込んだスプーンを押し上げることによって、中身を一回できれいに押し出すことに成功した。また、このスプーンに図４のように大（１５ｃｃ）中（５ｃｃ）小（２，５ｃｃ）の計量スプーンを創作することによって、一本のスプーンで大サジ中サジ小サジの三つの計量スプーンの機能と効能を持った計量スプーンを発明することに成功した。
【手続補正６】
【補正対象書類名】明細書
【補正対象項目名】０００５
【補正方法】追加
【補正の内容】
【０００５】  本発明は以上の構造だから、袋入り製品に簡単に差し込んで、その中身をワンタッチできれいに押し出すことができる効果がある。（図２）
また、袋入り製品の開封口を折り曲げて本スプーンを差し込めば袋とじとしても利用できる効果がある。（図３）
また、図４の計量スプーンでは、一本の計量スプーンで大サジ中サジ小サジの三つの計量スプーンとしての機能と効能ができ、袋入り製品の中身押し出しスプーンとしての機能もあり、一本の本発明スプーンで料理を効率的に楽しくすることができるようになった。
【手続補正７】
【補正対象書類名】明細書
【補正対象項目名】０００６
【補正方法】追加
【補正の内容】
【０００６】  以下、本発明の実施例について説明する。
▲１▼スプーンの柄部に袋入り製品の袋の皮ほどのすき間を創作し、柄部の先をＶ形に創作したスプーン。（図１）
▲２▼上記▲１▼の一本のスプーンに大（１５ｃｃ）中（５ｃｃ）小（２，５ｃｃ）の三つの計量スプーンを（図４）のように創った計量スプーン。
【手続補正８】
【補正対象書類名】明細書
【補正対象項目名】０００８
【補正方法】変更
【補正の内容】
【０００８】また、一本の本発明スプーン（図４）で、単品の大サジ・中サジ・小サジ三種類の計量スプーンと同じように使うことができる。
【手続補正９】
【補正対象書類名】明細書
【補正対象項目名】０００９
【補正方法】追加
【補正の内容】
【０００９】  また、材質はプラスチック類、金属類何でもよい。それから、柄部の差し込み口（Ｂ）は差し込みやすいＶ形だが柄の先の形はハート形、丸形、四角形何でもよい。
また、スプーンの形も丸型、四角形何でもよい。
また、請求項１のスプーンはホークやお玉の柄部にしてもよい。
また、請求項１と２のスプーンの器部にさらに目盛線を付けて計量機能をさらに多くしてもよい。
また、スプーンの長さは１５ｃｍ〜２２ｃｍ程度のものである。
【手続補正１０】
【補正対象書類名】明細書
【補正対象項目名】００１１
【補正方法】追加
【補正の内容】
【００１１】
【図４】本発明の斜視図である。  
【手続補正１１】
【補正対象書類名】明細書
【補正対象項目名】００１２
【補正方法】追加
【補正の内容】
【００１２】（Ｃ１）計量部１５ｃｃ
（Ｃ２）計量部  ５ｃｃ
（Ｃ３）計量部  ２，５ｃｃ
（Ｅ）柄部
【手続補正１２】
【補正対象書類名】図面
【補正対象項目名】図４
【補正方法】追加
【補正の内容】
【図４】
2008093381.tif 000006
【手続補正書】
【提出日】平成19年3月9日(2007.3.9)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
スプーンの柄部に袋入り製品の袋の皮ほどのすき間（Ａ）を創作し、柄部の先の差し込み口をＶ形（Ｂ）にした特長をもつスプーン。
【請求項２】
請求項１のスプーンに大・中・小の独立したスプーンを設けた計量スプーン。（図４）
【手続補正２】
【補正対象書類名】手続補正書
【補正対象項目名】手続補正１０
【補正方法】変更
【補正の内容】
【手続補正１０】
【補正対象書類名】明細書
【補正対象項目名】００１１
【補正方法】変更
【補正の内容】
【００１１】
【図１】  本発明の平面図である。
【図２】  本発明使用中の斜視図である。
【図３】  本発明使用中の斜視図である。
【図４】  本発明の斜視図である。
【手続補正３】
【補正対象書類名】手続補正書
【補正対象項目名】手続補正１１
【補正方法】変更
【補正の内容】
【手続補正１１】
【補正対象書類名】明細書
【補正対象項目名】００１２
【補正方法】変更
【補正の内容】
【００１２】（Ａ）    すき間
（Ｂ）    差し込み口
（Ｃ）    スプーン
（Ｃ１）  計量部１５ｃｃ
（Ｃ２）  計量部５ｃｃ
（Ｃ３）  計量部２，５ｃｃ
（Ｄ）    袋入り製品
（Ｅ）    柄部